(57)【要約】    【課題】装飾体において、安全性や洗濯適合性という側面と、高級感や質感という側面を両立させる。    【解決手段】一定間隔で生地テープ（Ｔ）に固着してなる基礎台（１０）と、前記基礎台の上に着脱可能に取り付ける表面装飾体（２０，３０，４０，５０）からなる。前記基礎台（１０）は、中央が係合孔（１２）又は係合くぼみ（１５）となった合成樹脂製リングである。前記表面装飾体（２０，３０，４０，５０）は少なくとも金属の脚部（２１ａ，４２ａ，５２ａ）を有する金属製である。前記基礎台（１０）として、テープ付きスナップボタンのうちの雌部材を使用することができる。【選択図】図１
2005312508.tif 000002
【特許請求の範囲】
【請求項１】
一定間隔で生地テープ（Ｔ）に固着してなる基礎台（１０）と、前記基礎台の上に着脱可能に取り付ける表面装飾体（２０，３０，４０，５０）からなり、
前記基礎台（１０）は、中央が係合孔（１２）又は係合くぼみ（１５）となった合成樹脂製リングであり、
前記表面装飾体（２０，３０，４０，５０）は少なくとも金属の脚部（２１ａ，４１ａ，５１ａ）を有する金属製であることを特徴とする装飾体。
【請求項２】
前記基礎台（１０）は、中央が係合貫通孔又は係合くぼみとなった合成樹脂製リングを生地テープに射出成形により一体成形したものである請求項１記載の装飾体。
【請求項３】
表面装飾体の本体（２１，３１，４１，５１）の主要部も金属である請求項１又は２記載の装飾体。
【請求項４】
前記本体の中に部分的に宝石又は模擬宝石（２２，４２，５２）を埋設させた請求項３記載の装飾体。
【請求項５】
前記脚部（２１ａ，４１ａ，５１ａ）が本体と一体になっているねじである請求項１ないし４のいずれかに記載の装飾体。
【請求項６】
前記脚部（３２）が本体（３１）とは別体のねじである請求項１ないし４のいずれかに記載の装飾体。
【請求項７】
前記金属脚部に抜け止め（１６）が施されている請求項１ないし５のいずれかに記載の装飾体。
【請求項８】
基礎台（１０）の係合貫通孔（１２）又は係合くぼみの壁に雌ねじ（１２ａ）を設けている請求項１ないし７記載の装飾体。
【発明の詳細な説明】
【技術分野】
【０００１】
本発明は、衣服等に取り付けるテープ付き装飾体に関する。装飾体としては、ボタン、バッチ、ブローチ、コサージュなどがある。以下の説明では、主として「装飾ボタン」を例にとって説明する。
【背景技術】
【０００２】
最近では、衣服は安全性の見地から出荷前に金属・異物検知機にかけることが多いので、金属や宝石・模擬宝石を使用したボタンは敬遠されがちである。また、金属や宝石・模擬宝石を使用したボタンは洗濯のときに、他の衣服を傷つけたり、洗濯機の槽壁に傷を付けたりすることがある。
【０００３】
誰でも考えるのは金属や宝石・模擬宝石の代わりに合成樹脂を使用することで、数え切れないほどの種類の合成樹脂製ボタンが街にはあふれている。合成樹脂製ボタンにめっきを施して金属光沢を出しているものもある（下記特許文献１参照）。
【特許文献１】特開平６−２６１８０４号公報
【０００４】
しかし、金属や宝石類の代わりに合成樹脂を使用すると、光沢や重量感などの点でどうしても安っぽく見えるのも事実である。めっきしたものでも本物の質感には遠く及ばない。
【発明の開示】
【発明が解決しようとする課題】
【０００５】
本発明は、安全性や洗濯適合性という側面と、高級感や質感という側面を両立させることを目的とする。
【課題を解決するための手段】
【０００６】
本発明の装飾体は、一定間隔で生地テープに固着してなる基礎台と、前記基礎台の上に着脱可能に取り付ける表面装飾体からなり、前記基礎台は、中央が係合貫通孔又は係合くぼみとなった合成樹脂製リングであり、前記表面装飾体は少なくとも金属の脚部を有する金属製であることを特徴とする。
【発明の効果】
【０００７】
本発明によれば、衣服等に固着させる基礎台として合成樹脂リングを使用し、使用時に前記基礎台の上に金属装飾体を後付けする構造なので、金属検知機にかけるときや洗濯のときには、金属装飾体を取り外すことができる。使用時には金属装飾体として機能するので、金属特有の光沢や重量感を現出させることができる。したがって、安全性や洗濯適合性という側面と、高級感や質感という側面を両立させることができる。また、金属装飾体を別のものに取り替えるのも容易であり、一着の衣服でデザインをさまざまに変更することができる。
【発明を実施するための最良の形態】
【０００８】
基礎台としては、テープ付きスナップボタンのうちの雌部材を使用することができる。しかし、基礎台の目的は、金属脚部を固定することにあるので、中央が係合貫通孔又は係合くぼみとなった合成樹脂製リングを生地テープに射出成形により一体成形したものであればどのようなものでも足りる。
【０００９】
表面装飾体は、少なくとも金属の脚部を有する金属製であることが必要であるが、本体の主要部も金属（例えば、ステンレス鋼、アルミニウム、ジュラルミン、真鍮）であることが好ましい。しかし、部分的に宝石や模擬宝石を使用することも排除するものではない。
【００１０】
前記基礎台に前記金属脚部を固定するため、前記脚部が雄ねじとなっていることが好ましい。脚部のねじと本体とは一体化されていてもよいし、別体でもよい。また、前記金属脚部に抜け止めを施してもよい。抜け止めとしては、例えば、前記金属ねじにはまるナットを使用することができる。
【００１１】
一方、基礎台にはこの雄ねじとかみ合う雌ねじを形成することが好ましい。雄ねじを雌ねじにねじ込むのはドライバーだけで行うことができ、特別な打ち付け用の機械は必要ない。
【００１２】
しかし、脚部の雄ねじや基礎台の雌ねじは本発明にとって必須ではなく、脚部を基礎台へ圧接するするだけでも、相当強固に固定することができる。
【実施例１】
【００１３】
以下、添付の図面に基づき、本発明の実施例を説明する。
【００１４】
図１（ａ）は、本発明のテープ付き装飾ボタンの表側正面図であり、（ｂ）は裏側の正面図である。
【００１５】
図１（ｂ）に示すように、このテープＴにはボタンが４つ取り付けられている。ボタンといっても、装飾が目的であって係合は目的ではないので、雄部材はなく、雌部材だけを使用する。上段のボタン１０は、テープ付きスナップボタンのうちの雌部材である。これが、本発明で使用する装飾ボタンの基礎台となるので、本明細書では「雌部材」といわずに「基礎台１０」という。
【００１６】
この基礎台１０は、合成樹脂製のリングであり、その複数個が生地テープＴに一定間隔で射出成形その他の方法により固定されている。リング位置の生地テープは貫通孔１１となっており、リングが係合孔１２を形成している。係合孔の壁には雌ねじ１２ａが形成されている。
【００１７】
この基礎台１０を成形するのは次の工程による。
（１）溶融樹脂が成形圧力によって通過浸透する粗さの生地テープＴに一定間隔で貫通孔１１を形成する。テープ生地としては、溶融されることなく溶融樹脂が透過する生地であることが必要で、織物でも編物でもよく、例えば木綿生地、混紡生地等を採用することができる。合成樹脂としては、熱可塑性樹脂、例えばポリアセタール溶融樹脂を使用することができる。
（２）ファスナ成形用空間を形成した上下金型（図示せず）間に生地テープＴを配設し、テープ貫通孔１１を中心として生地テープを前記上下金型で挟み込み固定する。このとき、テープ貫通孔１１の周囲が合成樹脂の射出圧によりたわまないように、前記上下金型には予めテープ押さえ用の押圧ピン（図示せず）が設定されている。
（４）合成樹脂を前記成形空間内に射出し、生地テープ両面に形成されるリング部材の表面部側と裏面部側とを生地テープを透過する合成樹脂によって一体化させる。
【００１８】
リング部材は、前記押圧ピンに相当する部分が空洞１４となり、ここで生地テープを露出させる。
【００１９】
この基礎台１０の上に、装飾ボタンを取り付ける。図１では２種類の装飾ボタンを開示している。中段のボタン２０（第１実施例）は金属及び模擬宝石からなる装飾ボタンであり、下段のボタン３０（第２実施例）は細長い金属装飾ボタンである。
【００２０】
中段の装飾ボタン２０（第１実施例）は、図１の平面図に示すように、上から見れば六角形で、ステンレス鋼からなる本体部２１の表面中央部に模擬宝石２２が埋設されている。図２の断面図から分かるように、本体部はねじ切りされた脚部２１ａを有し、この脚部により前記基礎台１０の雌ねじ１２ａにねじ込まれる。この実施例では、脚部の長さは基礎台底面とほぼ同一平面である。単にねじ込んでいるだけであるが、脚部の金属ねじが合成樹脂の基礎台の壁部の雌ねじとかみ合うので、簡単には抜け落ちることはない。しかし、洗濯などのときには、ねじを外す要領で取り外すことができる。
【実施例２】
【００２１】
下段の装飾ボタン３０（第２実施例）はボタンというよりは装飾具とでもいうものであるが、細長い楕円状の真鍮板３１であり、両端近くで２つの取付穴３２を有する。この取付穴を利用してねじ３３により、基礎台１０に取り付けられている。このねじ３３は装飾ボタン３０本体とは別体である。
【実施例３】
【００２２】
図４は、装飾ボタン４０の別の実施例（第３実施例）の断面図である。この実施例では、基礎台１０のリングを貫通孔とせず、くぼみ１５とする。本体４１のねじ４１ａ末端は、くぼみ４１で留まり、基礎台１０から露出しない。
【実施例４】
【００２３】
図５は、装飾ボタンのさらに別の実施例５０（第４実施例）の断面図である。本体５１のねじの５１ａ末端は基礎台１０を貫通させてなおさらに伸びており、その部分を利用してナット５２等により積極的に抜け止めを施している。
【図面の簡単な説明】
【００２４】
【図１】（ａ）は、本発明のテープ付き装飾ボタンの表側正面図であり、（ｂ）は裏側の正面図である。
【図２】装飾ボタンの第１実施例の断面図である。
【図３】装飾ボタンの第２実施例の断面図である。
【図４】装飾ボタンの第３実施例の断面図である。
【図５】装飾ボタンの第４実施例の断面図である。
【符号の説明】
【００２５】
１０   基礎台
１１   テープ貫通孔
１２   係合孔
１２ａ  雌ねじ
１３   段部
１４   空洞
２０   装飾ボタン
２１ａ 脚部
２１   本体部
２２   模擬宝石
３０   装飾ボタン
３１   真鍮板
３２   取付穴
４０   装飾ボタン
４１   本体
５０   装飾ボタン
５１   本体
５２   ナット
Ｔ     生地テープ
【図１】
2005312508.tif 000003
【図２】
2005312508.tif 000004
【図３】
2005312508.tif 000005
【図４】
2005312508.tif 000006
【図５】
2005312508.tif 000007